(57)【要約】【課題】必要コストを増大させることなく電気使用情報の管理を行うことのできるインターホンシステムを提供する。【解決手段】ドアホン子器２には、訪問者及び設置場所の周囲を撮像するためのカメラ２２が設けられており、インターホン親機１には、カメラ２２で撮像された映像及び電力計測装置３から送信される電力量に基づく電気使用情報を記憶する記憶部１５と、メモリカードＭＣが着脱自在に接続される接続部１６と、接続部１６を介してメモリカードＭＣへのデータの書き込み及びメモリカードＭＣからのデータの読み出しを制御する外部記憶媒体制御部１７とを備え、外部記憶媒体制御部１７は、要求に応じて記憶部１５に記憶された映像及び電気使用情報を接続部１６を介してメモリカードＭＣに記録する。【選択図】図１
2010288226.tif 000002
【特許請求の範囲】
【請求項１】
住戸内に設置されるインターホン親機と、住戸外に設置されてインターホン親機との間で通話を行うドアホン子器と、住戸内への不審者の侵入を検知するとともに不審者が侵入した旨を知らせる侵入検知信号をインターホン親機に送信する防犯センサと、住戸に供給される電力を監視し、負荷を接続した分岐回路に分岐供給する分電盤内の電流及び電圧を計測して負荷に供給される電力量を算出する電力計測装置とを備え、電力計測装置で算出された電力量に基づく電気使用情報をインターホン親機に送信するインターホンシステムであって、ドアホン子器には、訪問者及び設置場所の周囲を撮像するためのカメラが設けられており、インターホン親機には、カメラで撮像された映像及び電力計測装置から送信された電気使用情報を記憶する記憶部と、外部記憶媒体が着脱自在に接続される接続部と、接続部を介して外部記憶媒体へのデータの書き込み及び外部記憶媒体からのデータの読み出しを制御する外部記憶媒体制御部とを備え、外部記憶媒体制御部は、要求に応じて記憶部に記憶された映像及び電気使用情報を接続部を介して外部記憶媒体に記録することを特徴とするインターホンシステム。
【発明の詳細な説明】
【技術分野】
【０００１】
本発明は、消費電力量を計測可能な電力計測装置との間で信号の送受信を行うインターホンシステムに関する。
【背景技術】
【０００２】
従来から、住戸内に設置されて火災感知器や防犯センサ等のセキュリティセンサを接続したインターホン親機と、住戸外に設置されたドアホン子器との間で通話可能なインターホンシステムが知られている。このようなインターホンシステムの中には、戸建住宅や集合住宅の各住戸に設置された電力分電盤と住宅情報盤（インターホン親機）との間で信号を送受信可能としたシステムが知られており、例えば特許文献１に開示されている。この従来例は、住戸に供給される電力を監視し、負荷を接続した分岐回路に分配供給するための電力分電盤と、火災感知器などの各種セキュリティセンサを接続した住宅情報盤との間を信号送受信可能に構成されたものであって、電力分電盤には、主幹ブレーカを通じて供給される電流量を計測するコントローラが設けられている。当該コントローラによって計測された電流量に基づく電気使用情報は、住宅情報盤に信号送出され、住宅情報盤は、電気使用情報を受信して計測された電流量のレベルに応じて段階的に報知（例えば、「電気を使いすぎています」という音声メッセージを出力）する。而して、電気の使用情報を、住宅情報盤が設置されるリビングやダイニングなどの居住者の目に付き易い場所で把握することができるようになっている。
【先行技術文献】
【特許文献】
【０００３】
【特許文献１】特開平１１−２９６７７１号公報
【発明の概要】
【発明が解決しようとする課題】
【０００４】
ところで、上述のようなシステムでは、各住戸における電気使用情報を管理するために有線又は無線を通じてサーバ等の解析装置に接続される場合がある。この場合、解析装置とインターホン親機との間で通信可能となるようにシステムを構成しなければならないため、システムが大掛かりとなり、必要コストが増大するという問題があった。
【０００５】
本発明は、上記の点に鑑みて為されたもので、必要コストを増大させることなく電気使用情報の管理を行うことのできるインターホンシステムを提供することを目的とする。
【課題を解決するための手段】
【０００６】
請求項１の発明は、上記目的を達成するために、住戸内に設置されるインターホン親機と、住戸外に設置されてインターホン親機との間で通話を行うドアホン子器と、住戸内への不審者の侵入を検知するとともに不審者が侵入した旨を知らせる侵入検知信号をインターホン親機に送信する防犯センサと、住戸に供給される電力を監視し、負荷を接続した分岐回路に分岐供給する分電盤内の電流及び電圧を計測して負荷に供給される電力量を算出する電力計測装置とを備え、電力計測装置で算出された電力量に基づく電気使用情報をインターホン親機に送信するインターホンシステムであって、ドアホン子器には、訪問者及び設置場所の周囲を撮像するためのカメラが設けられており、インターホン親機には、カメラで撮像された映像及び電力計測装置から送信された電気使用情報を記憶する記憶部と、外部記憶媒体が着脱自在に接続される接続部と、接続部を介して外部記憶媒体へのデータの書き込み及び外部記憶媒体からのデータの読み出しを制御する外部記憶媒体制御部とを備え、外部記憶媒体制御部は、要求に応じて記憶部に記憶された映像及び電気使用情報を接続部を介して外部記憶媒体に記録することを特徴とする。
【発明の効果】
【０００７】
本発明によれば、インターホン親機に記憶された訪問者等の映像のみならず電気使用情報も外部記憶媒体に記録することができるので、外部記憶媒体を持ち運ぶことで電気使用情報を外部の解析装置で管理することができる。したがって、解析装置とインターホン親機との間で通信可能となるようにシステムを構成する必要がないため、必要コストを増大させることなく電気使用情報の管理を行うことができる。
【図面の簡単な説明】
【０００８】
【図１】本発明に係るインターホンシステムの実施形態を示す図で、（ａ）は概略図で、（ｂ）はブロック図である。
【図２】同上の主要な動作を説明するためのフローチャート図である。
【発明を実施するための形態】
【０００９】
以下、本発明に係るインターホンシステムの実施形態について図面を用いて説明する。本実施形態は、図１（ａ），（ｂ）に示すように、住戸内に設置されるインターホン親機１と、住戸外に設置されてインターホン親機１との間で通話を行うドアホン子器２と、住戸に供給される電力を監視し、負荷（図示せず）を接続した分岐回路に分岐供給する分電盤ＤＢ内の電流及び電圧を計測して負荷に供給される電力量を算出する電力計測装置３とから構成される。
【００１０】
インターホン親機１は、図１（ｂ）に示すように、音声を入力するためのマイクロホン１０ａ及び音声を出力するためのスピーカ１０ｂと、ドアホン子器２から通信線Ｌ１を介して送信される呼出信号を検出するとともにドアホン子器２との間に通話路を形成する親機通話部１０と、全体の制御を行う制御部１１と、例えば液晶ディスプレイから成り不審者の侵入を知らせるためのピクトマークやドアホン子器２の後述するカメラ２２で撮像された映像を表示する表示部１２と、器体表面に露設される複数（図１（ａ）では４つ）の押釦から成り押操作されると各釦に対応した操作信号を制御部１１に送信する操作入力受付部１３と、電力計測装置３との間で通信線Ｌ２を介して信号の送受信を行う信号送受信部１４と、電力計測装置３から送信される後述する電気使用情報を記憶する記憶部１５と、外部記憶媒体であるメモリカードＭＣが着脱自在に接続される接続部１６と、接続部１６を介してメモリカードＭＣへのデータの書き込み及びメモリカードＭＣからのデータの読み出しを制御する外部記憶媒体制御部１７とから構成される。
【００１１】
操作入力受付部１３には、押操作されると消費電力量の概略を表示部１２に表示させるように指示する電力モニタ釦と、押操作されると記憶部１５に記憶されたデータをメモリカードＭＣに記録させるように指示するメモリカード用記録釦とが設けられている。
【００１２】
ドアホン子器２は、図１（ｂ）に示すように、音声を入力するためのマイクロホン２０ａ及び音声を出力するためのスピーカ２０ｂと、インターホン親機１との間に通話路を形成する子器通話部２０と、例えば押釦等から成り押操作に応じて信号を通信線Ｌ１を介してインターホン親機１に送信する操作入力受付部２１とから構成される。尚、操作入力受付部２１は、インターホン親機１を呼び出すための呼出信号をインターホン親機１に送信する指示を入力する呼出釦２１ａを少なくとも備える。また、ドアホン子器２には、図１（ａ）に示すように、訪問者の姿や外玄関の状況を撮影するためのカメラ２２が設けられている。カメラ２２で撮像された映像は、変調した後に図示しない映像信号送信部から映像信号として通信線Ｌ１を介してインターホン親機１に送信される。インターホン親機１では、図示しない映像信号受信部において映像信号を受信し、復調した後に表示部１２に映像を表示するとともに、当該映像を記憶部１５に記憶させる。
【００１３】
分電盤ＤＢは、例えば内玄関灯、換気扇、エアコン、トイレの温水弁座等の負荷を接続した分岐回路に電力を分配供給している。勿論、負荷は上記の機器に限定される必要はない。電力計測装置３は、電力線を介して負荷に供給される電圧及び電流に基づいて負荷に供給される電力量を算出する計測部３０と、全体の制御を行う制御部３１と、計測部３０で算出された電力量に基づく電気使用情報を記憶する記憶部３３と、インターホン親機１との間で通信線Ｌ２を介して信号の送受信を行う信号送受信部３２とから構成される。制御部３１は、計測部３０においてカレントトランス（図示せず）を用いて検出する分電盤ＤＢの主幹ブレーカ（図示せず）を流れる電流、及び電圧線（図示せず）の線間電圧を所定の間隔（例えば数分毎に）で計測させ、当該計測値に基づいて電気使用情報を作成して記憶部３３に記憶させる。電気使用情報には、消費電力量、計測を行った日付及び時刻の情報が含まれる。尚、本実施形態では、電力計測装置３を分電盤ＤＢの外側に設置しているが、分電盤ＤＢの内側に設置しても構わない。
【００１４】
以下、本実施形態の主要な動作について図２を用いて説明する。先ず、インターホン親機１の操作入力受付部１３において電力モニタ釦を押操作すると、制御部１１は、電気使用情報を送信するように要求する要求信号を信号送受信部１４から電力計測装置３に送信させる。電力計測装置３の制御部３１は、信号送受信部３２において要求信号を受信すると、記憶部３３から電気使用情報を読み出し、電気使用情報を含む応答信号を信号送受信部３２からインターホン親機１に送信させる。インターホン親機１の制御部１１は、信号送受信部１４において応答信号を受信すると、応答信号に含まれる電気使用情報に統計処理を行い、処理結果を記憶部１５に記憶させる。上記統計処理の処理結果は画像処理され、表示部１２に出力される。例えば、本実施形態では、電力モニタ釦が押操作された日付における消費電力量を表示するようになっている。尚、表示部１２に表示させる消費電力量の概略は上記に限定される必要はなく、例えば電力モニタ釦が押操作された週若しくは月、又は年間の消費電力量を表示させるようにしても構わない。消費電力量を確認した後は、電力モニタ釦を再度押操作することで上記表示をオフにして待機状態へと移行する。
【００１５】
次に、メモリカードＭＣを接続部１６に接続した状態で、インターホン親機１の操作入力受付部１３においてメモリカード用記録釦を押操作すると、制御部１１は、記憶部１５から記憶された訪問者等の映像及び電気使用情報を読み出す。そして、外部記憶媒体制御部１７では、記憶部１５から読み出されたデータを接続部１６を介してメモリカードＭＣに記録する。メモリカードＭＣにデータを記録した後は、メモリカードＭＣを接続部１６から取り外すことで、訪問者等の映像及び電気使用情報のデータを外部に持ち運ぶことが可能になる。尚、本実施形態では、メモリカード用記録釦を押操作すると訪問者等の映像と電気使用情報とを纏めてメモリカードＭＣに記録するようになっているが、訪問者等の映像と電気使用情報とを個別にメモリカードＭＣに記録できるように構成しても構わない。
【００１６】
上述のように、インターホン親機１に記憶された訪問者等の映像のみならず電気使用情報もメモリカードＭＣに記録することができるので、メモリカードＭＣを持ち運ぶことで電気使用情報を外部の解析装置で管理することができる。したがって、解析装置とインターホン親機１との間で通信可能となるようにシステムを構成する必要がないため、必要コストを増大させることなく電気使用情報の管理を行うことができる。
【符号の説明】
【００１７】
１  インターホン親機
１５  記憶部
１６  接続部
１７  外部記憶媒体制御部
２  ドアホン子器
２２  カメラ
３  電力計測装置
ＤＢ  分電盤
ＭＣ  メモリカード（外部記憶媒体）
【図１】
2010288226.tif 000003
【図２】
2010288226.tif 000004